(57)【要約】      （修正有）【課題】構成が複雑になるのを抑制しながら、複数の物品保存領域を冷却することが可能な冷蔵倉庫を提供する。【解決手段】この冷蔵倉庫１００は、冷却装置３０からの冷気を吸引して、気流Ｐ１を形成する送風部２０ａと、気流Ｐ１の一部を巻き込むことが可能であるとともに、領域１３に流入する気流Ｐ２を形成する送風部２０ｂとを含む、送風装置２０と、冷却装置５０からの冷気を吸引して、気流Ｐ３を形成する送風部４０ａと、気流Ｐ３の一部を巻き込むことが可能であるとともに、領域１３に流入する気流Ｐ４を形成する送風部４０ｂとを含む、送風装置４０とを備える。【選択図】図１
2015230130.tif 000002
【特許請求の範囲】
【請求項１】
第１物品が冷蔵保存される第１物品保存領域に冷気を供給する第１冷却装置と、
第２物品が冷蔵保存される第２物品保存領域に冷気を供給する第２冷却装置と、
前記第１冷却装置からの冷気を吸引して、第１エアカーテン気流を形成する第１送風部と、前記第１送風部と間隔を隔てて配置され、前記第１エアカーテン気流の一部を巻き込むことが可能であるとともに、前記第１物品保存領域と前記第２物品保存領域との間に設けられ第３物品が冷蔵保存される第３物品保存領域に流入する第２エアカーテン気流を形成する第２送風部とを含む、第１送風装置と、
前記第２冷却装置からの冷気を吸引して、第３エアカーテン気流を形成する第３送風部と、前記第３送風部と間隔を隔てて配置され、前記第３エアカーテン気流の一部を巻き込むことが可能であるとともに、前記第３物品保存領域に流入する第４エアカーテン気流を形成する第４送風部とを含む、第２送風装置と、を備える、冷蔵倉庫。
【請求項２】
前記第２送風部により形成される前記第２エアカーテン気流および前記第４送風部により形成される前記第４エアカーテン気流の少なくとも一方の、風量および風向のうちの少なくとも一方を調整することにより、前記第１エアカーテン気流の一部および前記第３エアカーテン気流の一部の少なくとも一方を巻き込むことによって、前記第３物品保存領域の温度を調整するように構成されている、請求項１に記載の冷蔵倉庫。
【請求項３】
前記第３物品保存領域に設けられる温度測定部をさらに備え、
前記温度測定部により測定された温度に基づいて、前記第２送風部により形成される前記第２エアカーテン気流および前記第４送風部により形成される前記第４エアカーテン気流の少なくとも一方の、風量および風向のうちの少なくとも一方を調整することにより、前記第１エアカーテン気流の一部および前記第３エアカーテン気流の一部の少なくとも一方を巻き込むことによって前記第３物品保存領域の温度を調整するように構成されている、請求項２に記載の冷蔵倉庫。
【請求項４】
前記第３物品保存領域に設けられ、前記第３物品保存領域に流入する前記第２エアカーテン気流と前記第４エアカーテン気流との熱交換を行う熱交換部をさらに備える、請求項１〜３のいずれか１項に記載の冷蔵倉庫。
【請求項５】
前記熱交換部は、冷媒が流通するように構成されており、
前記熱交換部は、前記第３物品保存領域に流入する前記第２エアカーテン気流と前記第４エアカーテン気流とを、前記冷媒によりそれぞれ冷却するように構成されている、請求項４に記載の冷蔵倉庫。
【発明の詳細な説明】
【技術分野】
【０００１】
この発明は、冷蔵倉庫に関し、特に、エアカーテン気流を形成する送風装置を備える冷蔵倉庫に関する。
【背景技術】
【０００２】
従来、エアカーテン気流を形成する送風装置を備える冷蔵倉庫が知られている（たとえば、特許文献１参照）。
【０００３】
上記特許文献１には、吹出しダクトと、吹出しダクトに対向するように配置される吸込みダクトとを含む間仕切り用エアカーテンユニット（送風装置）を備える冷蔵倉庫が開示されている。この冷蔵倉庫では、冷却装置により冷却された空気が、エアカーテンとして吹出しダクトから吹き出された後、吸込みダクトに吸い込まれるように構成されている。また、吸込みダクトから吸い込まれた空気が再び冷却装置により冷却される。また、吹出しダクトおよび吸込みダクトは、複数設けられており、エアカーテンが複数形成されている。そして、隣接するエアカーテンに挟まれた領域（保管室）が複数形成されている。また、吹出しダクトから吹き出されるエアカーテンの温度を調整することにより、隣接するエアカーテンに挟まれた領域（保管室）の温度が調整される。すなわち、１つの保管室に対して、１つの冷却装置が設けられている。
【先行技術文献】
【特許文献】
【０００４】
【特許文献１】実開平２−１１６６６６号公報
【発明の概要】
【発明が解決しようとする課題】
【０００５】
しかしながら、上記特許文献１に記載された冷蔵倉庫では、１つの保管室（物品保存領域）に対して、１つの冷却装置が設けられているため、その分、冷蔵倉庫の構成が複雑になるという問題点がある。
【０００６】
この発明は、上記のような課題を解決するためになされたものであり、この発明の１つの目的は、構成が複雑になるのを抑制しながら、複数の物品保存領域を冷却することが可能な冷蔵倉庫を提供することである。
【課題を解決するための手段】
【０００７】
上記目的を達成するために、この発明の一の局面による冷蔵倉庫は、第１物品が冷蔵保存される第１物品保存領域に冷気を供給する第１冷却装置と、第２物品が冷蔵保存される第２物品保存領域に冷気を供給する第２冷却装置と、第１冷却装置からの冷気を吸引して、第１エアカーテン気流を形成する第１送風部と、第１送風部と間隔を隔てて配置され、第１エアカーテン気流の一部を巻き込むことが可能であるとともに、第１物品保存領域と第２物品保存領域との間に設けられ第３物品が冷蔵保存される第３物品保存領域に流入する第２エアカーテン気流を形成する第２送風部とを含む、第１送風装置と、第２冷却装置からの冷気を吸引して、第３エアカーテン気流を形成する第３送風部と、第３送風部と間隔を隔てて配置され、第３エアカーテン気流の一部を巻き込むことが可能であるとともに、第３物品保存領域に流入する第４エアカーテン気流を形成する第４送風部とを含む、第２送風装置と、を備える。
【０００８】
この発明の一の局面による冷蔵倉庫では、上記のように、第１エアカーテン気流の一部を巻き込むことが可能であるとともに、第１物品保存領域と第２物品保存領域との間に設けられる第３物品保存領域に流入する第２エアカーテン気流を形成する第２送風部と、第３エアカーテン気流の一部を巻き込むことが可能であるとともに、第３物品保存領域に流入する第４エアカーテン気流を形成する第４送風部とを含むように構成する。これにより、第３物品保存領域に冷却装置を設けなくても、第１エアカーテン気流の一部を巻き込んだ第２エアカーテン気流と、第３エアカーテン気流の一部を巻き込んだ第４エアカーテン気流とによって、第３物品保存領域を冷却することができる。その結果、第１物品保存領域、第２物品保存領域および第３物品保存領域のそれぞれに冷却装置を設ける場合と異なり、構成が複雑になるのを抑制しながら、複数の物品保存領域を冷却することができる。また、第３物品保存領域にダクト等を設けることなく、第２エアカーテン気流と第４エアカーテン気流とが混合された冷気により第３物品保存領域を冷却することができるので、第３物品保存領域にダクト等を設ける必要がない分、構成が複雑になるのを抑制しながら、複数の物品保存領域を冷却することができる。
【０００９】
上記一の局面による冷蔵倉庫において、好ましくは、第２送風部により形成される第２エアカーテン気流および第４送風部により形成される第４エアカーテン気流の少なくとも一方の、風量および風向のうちの少なくとも一方を調整することにより、第１エアカーテン気流の一部および第３エアカーテン気流の一部の少なくとも一方を巻き込むことによって、第３物品保存領域の温度を調整するように構成されている。このように構成すれば、容易に、第１エアカーテン気流の一部および第３エアカーテン気流の一部の少なくとも一方を巻き込むことができる。
【００１０】
この場合、好ましくは、第３物品保存領域に設けられる温度測定部をさらに備え、温度測定部により測定された温度に基づいて、第２送風部により形成される第２エアカーテン気流および第４送風部により形成される第４エアカーテン気流の少なくとも一方の、風量および風向のうちの少なくとも一方を調整することにより、第１エアカーテン気流の一部および第３エアカーテン気流の一部の少なくとも一方を巻き込むことによって第３物品保存領域の温度を調整するように構成されている。このように構成すれば、温度測定部により測定された温度に基づいて、容易に、第３物品保存領域の温度を一定の温度に保持することができる。
【００１１】
上記一の局面による冷蔵倉庫において、好ましくは、第３物品保存領域に設けられ、第３物品保存領域に流入する第２エアカーテン気流と第４エアカーテン気流との熱交換を行う熱交換部をさらに備える。このように構成すれば、第３物品保存領域に流入した第２エアカーテン気流の温度と第４エアカーテン気流の温度との温度差を小さくする（略等しくする）ことができるので、第３物品保存領域内における温度のばらつきを小さくする（略均一にする）ことができる。
【００１２】
この場合、好ましくは、熱交換部は、冷媒が流通するように構成されており、熱交換部は、第３物品保存領域に流入する第２エアカーテン気流と第４エアカーテン気流とを、冷媒によりそれぞれ冷却するように構成されている。ここで、熱交換部に冷媒が流通しない場合には、第３物品保存領域における調整可能な温度は、第１エアカーテン気流の温度と第３エアカーテン気流の温度との間の温度範囲に限られる。そこで、上記のように、第２エアカーテン気流と第４エアカーテン気流とを、冷媒によりそれぞれ冷却するように構成することにより、第１エアカーテン気流の温度と第３エアカーテン気流の温度との間の温度範囲を超えて、第３物品保存領域の温度を調整することができる。
【発明の効果】
【００１３】
本発明によれば、上記のように、構成が複雑になるのを抑制しながら、複数の物品保存領域を冷却することができる。
【図面の簡単な説明】
【００１４】
【図１】本発明の第１実施形態による冷蔵倉庫の構成を示した断面図である。
【図２】本発明の第１実施形態おける冷蔵倉庫の上面図である。
【図３】本発明の第１実施形態おける冷蔵倉庫のブロック図である。
【図４】本発明の第２実施形態による冷蔵倉庫の構成を示した断面図である。
【図５】本発明の第２実施形態おける冷蔵倉庫の全体構成を示した上面図である。
【図６】本発明の第３実施形態による冷蔵倉庫の構成を示した断面図である。
【発明を実施するための形態】
【００１５】
以下、本発明を具体化した実施形態を図面に基づいて説明する。
【００１６】
（第１実施形態）
まず、図１〜図３を参照して、本発明の第１実施形態による冷蔵倉庫１００について説明する。
【００１７】
第１実施形態による冷蔵倉庫１００は、図１に示すように、内部空間１０ａが所定温度に維持された状態で互いに異なる複数種類の物品（商品）を保管することが可能な冷凍冷蔵倉庫である。具体的には、冷蔵倉庫１００は、内部空間１０ａを有する冷蔵室１０を備えている。また、内部空間１０ａは、冷凍食品などの物品１が冷凍保存されるための領域１１と、別な食品などの物品２が冷蔵保存されるための領域１２とを含む。また、内部空間１０ａは、領域１１と領域１２との間に設けられ、物品３が冷蔵保存される領域１３をさらに含む。ここで、領域１１は、物品１を冷凍保存するために温度Ｔ１に維持されるとともに、領域１２は、物品２を冷蔵保存するために温度Ｔ２に維持されている。また、領域１３は、物品３を冷蔵保存するために温度Ｔ３に維持されている。また、温度Ｔ１（たとえば、−２０℃）は、温度Ｔ２（たとえば、−１５℃）よりも低く、温度Ｔ３は、温度Ｔ１と温度Ｔ２との間の温度（たとえば、−１８℃）（Ｔ１＜Ｔ３＜Ｔ２）である。なお、物品１、物品２および物品３は、それぞれ、本発明の「第１物品」、「第２物品」および「第３物品」の一例である。また、領域１１、領域１２および領域１３は、それぞれ、本発明の「第１物品保存領域」、「第２物品保存領域」および「第３物品保存領域」の一例である。
【００１８】
ここで、内部空間１０ａは、冷蔵室１０内を物理的に仕切る（区画する）ための隔壁を設けて領域１１、領域１２および領域１３に分割されているわけではない。すなわち、領域１１および領域１３の境界領域１０ｂと、領域１３および領域１２の境界領域１０ｃには、断熱性を有する隔壁やその一部が開閉可能な扉などの構造物は設けられていない。したがって、領域１１、領域１２および領域１３のいずれかにおいて作業を行う作業者（荷役者（図示せず））は、境界領域１０ｂおよび境界領域１０ｃをＸ方向（Ｘ１方向、Ｘ２方向）に素通りすることが可能に構成されている。
【００１９】
また、上述のように、冷蔵室１０内において物理的な隔壁を用いて互いに仕切られていない領域１１、領域１２および領域１３は、それぞれ、互いに異なる温度Ｔ１、温度Ｔ２および温度Ｔ３からなる冷蔵温度に保たれるように構成されている。すなわち、領域１１、領域１２および領域１３とは、隔壁を用いることなく温度Ｔ１、温度Ｔ２および温度Ｔ３に熱的に分割されるように構成されている。
【００２０】
この冷蔵室１０内を熱的に分割するために、冷蔵倉庫１００には、後述する冷却装置３０からの冷気を吸引して、エアカーテン気流Ｐ１（以下、気流Ｐ１と呼ぶ）を形成する送風装置２０（送風部２０ａ）が設けられている。そして、送風装置２０（送風部２０ａ）は、気流Ｐ１を、冷蔵室１０の床面１４まで吹き下ろすように構成されている。また、送風部２０ａは、たとえば、クロスフローファン（気流を吸い込んだ方向に直角な方向に気流を吹き出すファン）からなる。なお、送風装置２０は、本発明の「第１送風装置」の一例である。また、送風部２０ａは、本発明の「第１送風部」の一例である。
【００２１】
これにより、境界領域１０ｂにおいては、送風装置２０（送風部２０ａ）により形成された気流Ｐ１が冷蔵室１０の床面１４まで達するので、領域１１と領域１３との間のＸ方向に沿った熱移動が遮断される。なお、送風部２０ａは、境界領域１０ｂのＸ１側に対応した天井部１５の下面１５ａに設置されている。
【００２２】
また、冷蔵倉庫１００には、後述する冷却装置５０からの冷気を吸引して、エアカーテン気流Ｐ３（以下、気流Ｐ３と呼ぶ）を形成する送風装置４０（送風部４０ａ）が設けられている。そして、送風装置４０（送風部４０ａ）は、気流Ｐ３を、冷蔵室１０の床面１４まで吹き下ろすように構成されている。また、送風部４０ａは、たとえば、クロスフローファンからなる。なお、送風装置４０は、本発明の「第２送風装置」の一例である。また、送風部４０ａは、本発明の「第３送風部」の一例である。
【００２３】
これにより、境界領域１０ｃにおいては、送風装置４０（送風部４０ａ）により形成された気流Ｐ３が冷蔵室１０の床面１４まで達するので、領域１２と領域１３との間のＸ方向に沿った熱移動が遮断される。なお、送風部４０ａは、境界領域１０ｃのＸ２側に対応した天井部１５の下面１５ａに設置されている。
【００２４】
また、図１に示すように、冷蔵室１０内の領域１１には、送風装置２０に加えて、送風機能とともに領域１１を冷却して温度Ｔ１に保つ冷却機能を有する冷却装置３０が設置されている。同様に、領域１２には、送風装置４０に加えて、送風機能とともに領域１２を冷却して温度Ｔ２に保つ冷却機能を有する冷却装置５０が設置されている。具体的には、冷却装置３０は、送風装置２０（送風部２０ａ）における冷気循環流Ｇ１を吸い込む吸込口２１ａよりも上流側（Ｘ１側）に設置されるとともに、冷却装置５０は、送風装置４０（送風部４０ａ）における冷気循環流Ｇ２を吸い込む吸込口４１ａよりも上流側（Ｘ２側）に設置されている。なお、冷却装置３０および冷却装置５０は、それぞれ、本発明の「第１冷却装置」および「第２冷却装置」の一例である。
【００２５】
これにより、領域１１においては、送風装置２０（送風部２０ａ）と冷却装置３０とを運転して冷蔵室１０内を熱的に分割するための気流Ｐ１を含む冷気循環流Ｇ１が形成される。また、領域１２においては、送風装置４０（送風部４０ａ）と冷却装置５０とを運転して冷蔵室１０内を熱的に分割するための気流Ｐ３を含む冷気循環流Ｇ２が形成されるように構成されている。
【００２６】
ここで、領域１１における気流（冷気）の流れを説明する。図１に示すように、領域１１においては、冷却装置３０により冷やされて冷却装置３０の吹出口３２から吹き出される冷気が天井部１５の下面１５ａをＸ２方向（水平方向）に伝って送風装置２０（送風部２０ａ）の吸込口２１ａに吸い込まれる。冷気は向きを変えて送風装置２０の送風部２０ａから気流Ｐ１となって斜め下方向に吹き出される。すなわち、送風部２０ａの吹出口２２ａは、吹き出される冷気が真下方向から所定角度だけ領域１１側に向かう気流Ｐ１を形成するような開口形状を有している。その後、気流Ｐ１は、床面１４に到達した後、向きを変えてそのほとんどが床面１４をＸ１方向に沿って流通される。また、気流Ｐ１は、Ｘ１方向側の側壁部１６ａ近傍を上方（Ｚ１方向）に伝って冷却装置３０の吸込口３１に吸い込まれる。このように、領域１１には、時計回りに大きく循環する冷気循環流Ｇ１が形成される。
【００２７】
また、領域１２における気流（冷気）の流れ（冷気循環流Ｇ２）は、上記領域１１における気流（冷気）の流れ（冷気循環流Ｇ１）と同様である。すなわち、冷却装置５０により冷やされて冷却装置５０の吹出口５２から吹き出される冷気が送風装置４０（送風部４０ａ）の吸込口４１ａに吸い込まれる。冷気は向きを変えて送風装置４０の送風部４０ａの吹出口４２ａから気流Ｐ３となって斜め下方向に吹き出される。また、気流Ｐ３は、Ｘ２方向側の側壁部１６ｂ近傍を上方（Ｚ１方向）に伝って冷却装置５０の吸込口５１に吸い込まれる。このように、領域１２には、反時計回りに大きく循環する冷気循環流Ｇ２が形成される。
【００２８】
ここで、第１実施形態では、送風装置２０は、送風部２０ａとＸ２方向に間隔を隔てて配置され、気流Ｐ１の一部を巻き込むことが可能であるとともに、領域１１と領域１２との間に設けられ物品３が冷蔵保存される領域１３に流入するエアカーテン気流Ｐ２（以下、気流Ｐ２と呼ぶ）を形成する送風部２０ｂを含むように構成されている。なお、送風部２０ｂは、境界領域１０ｂのＸ２側に対応した天井部１５の下面１５ａに設置されている。また、送風部２０ｂは、たとえば、クロスフローファンからなる。なお、送風部２０ｂは、本発明の「第２送風部」の一例である。
【００２９】
また、第１実施形態では、送風装置４０は、送風部４０ａとＸ１方向に間隔を隔てて配置され、気流Ｐ３の一部を巻き込むことが可能であるとともに、領域１３に流入するエアカーテン気流Ｐ４（以下、気流Ｐ４と呼ぶ）を形成する送風部４０ｂを含むように構成されている。なお、送風部４０ｂは、境界領域１０ｃのＸ１側に対応した天井部１５の下面１５ａに設置されている。また、送風部４０ｂは、たとえば、クロスフローファンからなる。そして、送風部２０ｂにより形成される気流Ｐ３および送風部４０ｂにより形成される気流Ｐ４のそれぞれの、風量を調整することにより、気流Ｐ１の一部および気流Ｐ３の一部を巻き込むことによって、領域１３の温度を調整するように構成されている。なお、領域１３の温度の調整の詳細な説明は、後述する。また、送風部４０ｂは、本発明の「第４送風部」の一例である。
【００３０】
ここで、領域１３における気流（冷気）の流れを説明する。図１に示すように、領域１３においては、送風装置２０の送風部２０ｂから、気流Ｐ２が、斜め下方向に吹き出される。すなわち、吹出口２２ｂは、吹き出される冷気が真下方向から所定角度だけ領域１３側に向かう気流Ｐ２を形成するような開口形状を有している。その後、気流Ｐ２は、床面１４に到達した後、向きを変えてそのほとんどが床面１４をＸ２方向に沿って流通される。また、気流Ｐ２は、送風装置４０の送風部４０ｂから吹き出された気流Ｐ４と衝突（混合）して、上方（Ｚ１方向）に移動する。その後、気流Ｐ２は、送風部２０ｂの吸込口２１ｂに吸い込まれる。このように、領域１３には、反時計回りに大きく循環する冷気循環流Ｇ３が形成される。同様に、送風装置４０の送風部４０ｂ（吹出口４２ｂ）から吹き出された気流Ｐ４が、気流Ｐ２と衝突（混合）した後、上方（Ｚ１方向）に移動して、送風部４０ｂの吸込口４１ｂに吸い込まれる。このように、領域１３には、時計回りに大きく循環する冷気循環流Ｇ４が形成される。
【００３１】
また、冷蔵室１０を平面的に見た場合、図２に示すように、領域１１と領域１３との境界近傍に設置された送風装置２０（送風部２０ａ、送風部２０ｂ）は、内部空間１０ａを構成する一方側（Ｙ１側）の側壁部１７ａから他方側（Ｙ２側）の側壁部１７ｂに亘って設置されている。この場合、Ｙ方向が長手方向となった４台の送風装置２０（送風部２０ａ、送風部２０ｂ）が天井部１５の下面１５ａにおいてＹ方向に沿って直線的に配置されている。また、送風装置４０も、送風装置２０と同様の構成を有するので、説明は省略する。
【００３２】
また、領域１１の側壁部１６ａ（Ｘ１側）近傍における天井部１５の下面１５ａ下には、Ｙ方向が長手方向となった２台の冷却装置３０がＹ方向に直線的に配置されている。これにより、２台の冷却装置３０の各々の吹出口３２から吹き出された冷気が４台の送風装置２０（送風部２０ａ）の各々の吸込口２１ａに吸い込まれるように構成されている。なお、領域１２側に設置された送風装置４０および冷却装置５０の台数ならびに配置構成についても、領域１１側と左右対称に構成されている。
【００３３】
また、冷蔵倉庫１００における冷蔵室１０内の温度維持を行うための制御的な構成としては、図３に示すように、冷蔵倉庫１００の外部に、コントローラ機器７０が設置されている。コントローラ機器７０には、統括制御部７１と、送風装置制御部７２と、冷却装置制御部７３と、送風装置制御部７４と、冷却装置制御部７５とが設けられている。ここで、送風装置制御部７２および７４は、それぞれ、送風装置２０および４０の運転制御を行う機能を有している。また、冷却装置制御部７３および７５は、それぞれ、冷却装置３０および５０の運転制御を行う機能を有している。
【００３４】
また、図１および図３に示すように、送風装置２０には、送風部２０ａおよび送風部２０ｂにより形成される気流Ｐ１および気流Ｐ２の温度をそれぞれ検出する温度センサ８１ａおよび８１ｂが設けられている。また、送風装置４０には、送風部４０ａおよび送風部４０ｂにより形成される気流Ｐ３および気流Ｐ４の温度をそれぞれ検出する温度センサ８２ａおよび８２ｂが設けられている。また、冷蔵室１０には、領域１３の温度を検出する温度センサ８３が設けられている。そして、温度センサ８１ａおよび８１ｂと、温度センサ８２ａおよび８２ｂと、温度センサ８３とは、統括制御部７１に電気的に接続されている。なお、温度センサ８３は、本発明の「温度測定部」の一例である。
【００３５】
そして、温度センサ８１ａによる気流Ｐ１の温度に基づいて統括制御部７１が所定の演算処理を行うとともに、演算処理結果に基づいて送風装置制御部７２および冷却装置制御部７３がそれぞれ指令を受ける。そして、送風装置制御部７２の指令に基づいて送風装置２０（送風部２０ａ）の運転制御（ファンの回転数制御）が行われるとともに、冷却装置制御部７３の指令に基づいて冷却装置３０の運転制御が行われる。また、上記と同様の制御構成が領域１２側にも適用される。これにより、送風装置２０と冷却装置３０との協調運転が行われて物品１が保存される領域１１が温度Ｔ１に維持される。同様に、送風装置４０（送風部４０ａ）と冷却装置５０との協調運転が行われて物品２が保存される領域１２が温度Ｔ２に維持される。
【００３６】
次に、図１を参照して、領域１３の温度の調整について詳細に説明する。
【００３７】
第１実施形態では、温度センサ８３により測定された温度に基づいて、送風装置２０の送風部２０ｂにより形成される気流Ｐ２および送風装置４０の送風部４０ｂにより形成される気流Ｐ４のそれぞれの、風量を調整することにより、領域１３の温度が調整される。以下、具体的に説明する。
【００３８】
（測定された温度が目標温度の場合）
温度センサ８３により測定された温度が、目標温度（温度Ｔ３、たとえば、−１８℃）である場合（目標温度近傍である場合）には、送風装置２０の送風部２０ａのファンの回転数と、送風部２０ｂのファンの回転数とを略等しくする。この場合、気流Ｐ１は領域１１側に吹き出されるとともに、気流Ｐ２は領域１３側に吹き出されて、互いに混合（熱交換）することは略ない。これにより、領域１１と領域１３とは、境界領域１０ｂにおいて互いに断熱された状態（熱交換しない状態）となる。また、送風装置４０の送風部４０ａのファンの回転数および送風部４０ｂのファンの回転数も同様に、略等しくする。
【００３９】
（測定された温度が目標温度よりも高い場合）
温度センサ８３により測定された温度が、目標温度（温度Ｔ３、たとえば、−１８℃）よりも高い場合には、送風装置２０の送風部２０ｂのファンの回転数を上昇させる。これにより、送風部２０ａから吹き出される比較的低温（温度Ｔ１、たとえば、−２０℃）の気流Ｐ１の一部が、気流Ｐ２に巻き込まれる（混合する）。その結果、領域１３内の温度が低下して、領域１３内の温度が目標温度に近づけられる。
【００４０】
（測定された温度が目標温度より低い場合）
温度センサ８３により測定された温度が、目標温度よりも低い場合には、送風装置４０の送風部４０ｂのファンの回転数を上昇させる。これにより、送風部４０ａから吹き出される比較的高温（温度Ｔ２、たとえば、−１５℃）の気流Ｐ３の一部が、気流Ｐ４に巻き込まれる（混合する）。その結果、領域１３内の温度が上昇して、領域１３内の温度が目標温度に近づけられる。このように、領域１３内の温度が目標温度に保持される。すなわち、２台の冷却装置３０および５０により、３つの互いに異なる温度Ｔ１、Ｔ２およびＴ３にそれぞれ保持される領域１１、領域１２および領域１３が冷蔵室１０内に形成される。
【００４１】
また、図２に示すように、領域１１側の側壁部１７ａ（Ｙ１側）には、開閉扉１８ａが設けられるとともに、領域１２側の側壁部１７ａには、開閉扉１８ｂが設けられている。また、領域１３側の側壁部１７ａには、開閉扉１８ｃが設けられている。また、冷蔵室１０の外側には、物品１、物品２および３を一時的に載置する荷置場１０１が設けられている。荷置場１０１は、地面に対して所定の高さを有しており、トラック１１０が接車可能に構成されている。このようにして、冷蔵倉庫１００は構成されている。
【００４２】
第１実施形態では、以下のような効果を得ることができる。
【００４３】
第１実施形態では、上記のように、気流Ｐ１の一部を巻き込むことが可能であるとともに、領域１１と領域１２との間に設けられる領域１３に流入する気流Ｐ２を形成する送風部２０ｂと、気流Ｐ３の一部を巻き込むことが可能であるとともに、領域１３に流入する気流Ｐ４を形成する送風部４０ｂとを含むように構成する。これにより、領域１３に冷却装置を設けなくても、気流Ｐ１の一部を巻き込んだ気流Ｐ２と、気流Ｐ３の一部を巻き込んだ気流Ｐ４とによって、領域１３を冷却することができる。その結果、領域１１、領域１２および領域１３のそれぞれに冷却装置を設ける場合と異なり、構成が複雑になるのを抑制しながら、領域１１、領域１２および領域１３を冷却することができる。また、領域１３にダクト等を設けることなく、気流Ｐ２と気流Ｐ４とが混合された冷気により領域１３を冷却することができるので、領域１３にダクト等を設ける必要がない分、構成が複雑になるのを抑制しながら、領域１１、領域１２および領域１３を冷却することができる。
【００４４】
また、第１実施形態では、上記のように、送風部２０ｂにより形成される気流Ｐ２および送風部４０ｂにより形成される気流Ｐ４のそれぞれの、風量を調整することにより、気流Ｐ１の一部および気流Ｐ３の一部を巻き込むことによって、領域１３の温度を調整する。これにより、容易に、気流Ｐ１の一部および気流Ｐ３の一部を巻き込むことができる。
【００４５】
また、第１実施形態では、上記のように、領域１３に設けられる温度センサ８３をさらに備え、温度センサ８３により測定された温度に基づいて、送風部２０ｂにより形成される気流Ｐ２および送風部４０ｂにより形成される気流Ｐ４のそれぞれの、風量を調整することにより、気流Ｐ１の一部および気流Ｐ３の一部を巻き込むことによって領域１３の温度を調整する。これにより、温度センサ８３により測定された温度に基づいて、容易に、領域１３の温度を一定の温度に保持することができる。
【００４６】
（第２実施形態）
次に、図４および図５を参照して、第２実施形態について説明する。この第２実施形態では、領域１３に流入する気流Ｐ２と気流Ｐ４との熱交換を行う熱交換部９０が設けられている。また、図中において、上記第１実施形態と同様の構成には、第１実施形態と同じ符号を付して図示している。
【００４７】
本発明の第２実施形態による冷蔵倉庫２００は、図４に示すように、冷蔵室１０には、領域１３に流入する気流Ｐ２と気流Ｐ４との熱交換を行う熱交換部９０が設けられている。熱交換部９０は、領域１３に対応した天井部１５の下面１５ａに設置されている。また、熱交換部９０には、吸込口９０ａが設けられている。吸込口９０ａは、熱交換部９０の下方側（Ｚ２方向側）に設けられている。そして、熱交換部９０は、吸込口９０ａを介して、床面１４から上方に移動する気流Ｐ２および気流Ｐ４を吸い込むように構成されている。そして、熱交換部９０では、吸込口９０ａから吸い込まれた気流Ｐ２と気流Ｐ４との間で熱交換が行われるように構成されている。これにより、気流Ｐ２の温度と気流Ｐ４の温度との温度差が小さくなる（略均一になる）。
【００４８】
また、熱交換部９０には、吹出口９０ｂが設けられている。吹出口９０ｂは、熱交換部９０の側方（Ｘ１方向およびＸ２方向）に設けられている。そして、熱交換部９０は、熱交換により互いの温度が略均一にされた気流Ｐ２および気流Ｐ４を、吹出口９０ｂを介して、送風装置２０（送風部２０ｂ）側および送風装置４０（送風部４０ｂ）側に吹き出すように構成されている。
【００４９】
また、熱交換部９０を平面的に見た場合、図５に示すように、熱交換部９０は、Ｙ方向に沿って、複数（第２実施形態では２台）設置されている。また、複数の熱交換部９０は、互いに所定の間隔を隔ててＹ方向に沿って配置されている。なお、第２実施形態のその他の構成は、上記第１実施形態と同様である。
【００５０】
第２実施形態では、以下のような効果を得ることができる。
【００５１】
第２実施形態では、上記のように、領域１３に設けられ、領域１３に流入する気流Ｐ２と気流Ｐ４との熱交換を行う熱交換部９０を設ける。これにより、領域１３に流入した気流Ｐ２の温度と気流Ｐ４の温度との温度差を小さくする（略等しくする）ことができるので、領域１３内における温度のばらつきを小さくする（略均一にする）ことができる。
【００５２】
（第３実施形態）
次に、図６を参照して、第３実施形態について説明する。この第３実施形態では、上記第２実施形態と異なり、熱交換部９１は、冷媒が流通するように構成されている。また、図中において、上記第１実施形態と同様の構成には、第１実施形態と同じ符号を付して図示している。
【００５３】
本発明の第３実施形態による冷蔵倉庫３００は、図６に示すように、熱交換部９１は、冷媒が流通する（供給される）ように構成されている。そして、熱交換部９１は、領域１３に流入する気流Ｐ２と気流Ｐ４との間で熱交換を行うとともに、気流Ｐ２と気流Ｐ４とを冷媒によりそれぞれ冷却するように構成されている。また、冷媒の温度は、領域１１の温度Ｔ１および領域１２の温度Ｔ２よりも低くなる（たとえば、−２５℃）ように構成されている。
【００５４】
第３実施形態では、以下のような効果を得ることができる。
【００５５】
第３実施形態では、上記のように、熱交換部９１は、冷媒が流通するように構成されており、熱交換部９１を、領域１３に流入する気流Ｐ２と気流Ｐ４とを、冷媒によりそれぞれ冷却するように構成する。ここで、熱交換部９１に冷媒が流通しない場合には、領域１３における調整可能な温度は、気流Ｐ１の温度Ｔ１と気流Ｐ３の温度Ｔ２との間の温度範囲（Ｔ１以上Ｔ２以下）に限られる。そこで、上記のように、気流Ｐ２と気流Ｐ４とを、冷媒によりそれぞれ冷却するように構成することにより、気流Ｐ１の温度Ｔ１と気流Ｐ３の温度Ｔ２度との間の温度範囲（Ｔ１以上Ｔ２以下）を超えて、領域１３の温度を調整することができる。
【００５６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５７】
たとえば、上記第１〜第３実施形態では、天井部の下面下に冷却装置を配置した例について示したが、本発明はこれに限られない。たとえば、冷却装置を、冷蔵室の側壁部に配置してもよい。また、冷却装置を冷蔵室の外部に配置して、冷蔵室の壁面に設けられた冷気の吸込口および吹出口から冷気の吸込みおよび吹き出しを行ってもよい。
【００５８】
また、上記第１〜第３実施形態では、合計８台の送風装置（合計１６台の送風部）と、合計４台の冷却装置とを用いる例について示したが、本発明はこれに限られない。送風装置の台数と冷却装置の台数との組み合わせは、上記実施形態以外の組合せであってもよい。
【００５９】
また、上記第１〜第３実施形態では、冷蔵室内に互いに温度の異なる３つの領域が形成される例について示したが、本発明はこれに限られない。たとえば、送風装置および冷却装置の数を増加させて、冷蔵室内に互いに温度の異なる３つ以上の領域を形成するようにしてもよい。
【００６０】
また、上記第１〜第３実施形態では、気流Ｐ２および気流Ｐ４のそれぞれの、風量を調整することにより、領域１３の温度を調整する例について示したが、本発明はこれに限られない。たとえば、送風部２０ｂにより形成される気流Ｐ２（送風部４０ｂにより形成される気流Ｐ４）の風向を調整することにより、領域１３の温度を調整してもよい。この場合、温度センサ８３により測定された温度が、目標温度よりも高い場合には、送風部２０ｂにより形成される気流Ｐ２が気流Ｐ１に近づくように気流Ｐ２の風向が調整される。これにより、気流Ｐ１の一部が、気流Ｐ２に巻き込まれる（混合する）。その結果、領域１３内の温度が低下して、領域１３内の温度が目標温度に近づけられる。また、温度センサ８３により測定された温度が、目標温度よりも低い場合には、送風部４０ｂにより形成される気流Ｐ４が気流Ｐ３に近づくように気流Ｐ４の風向が調整される。これにより、気流Ｐ４の一部が、気流Ｐ３に巻き込まれる（混合する）。その結果、領域１３内の温度が上昇して、領域１３内の温度が目標温度に近づけられる。
【００６１】
また、上記第１〜第３実施形態では、気流Ｐ２および気流Ｐ４のそれぞれの、風量を調整することにより、領域１３の温度を調整する例について示したが、本発明はこれに限られない。たとえば、気流Ｐ２および気流Ｐ４のそれぞれの、風量および風向の両方を調整することにより、領域１３の温度を調整してもよい。また、風量および風向の調整以外の方法により、領域１３の温度を調整してもよい。
【００６２】
また、上記第１〜第３実施形態では、測定された温度が目標温度よりも高い場合（低い場合）、領域１３側の送風部２０ｂ（送風部４０ｂ）のファンの回転数を上昇させる例について示したが、本発明はこれに限られない。たとえば、測定された温度が目標温度よりも高い場合（低い場合）、領域１１側（領域１２側）の送風部２０ａ（送風部４０ａ）のファンの回転数を上昇させてもよい。
【００６３】
また、上記第２および第３実施形態では、天井部の下面下に熱交換部を配置した例について示したが、本発明はこれに限られない。たとえば、熱交換部を、冷蔵室の側壁部に配置してもよい。また、熱交換部を冷蔵室の外部に配置して、冷蔵室の壁面に設けられた冷気の吸込口および吹出口から冷気の吸込みおよび吹き出しを行ってもよい。
【００６４】
また、上記第２および第３実施形態では、合計２台の熱交換部を用いる例について示したが、本発明はこれに限られない。熱交換部の台数は、２台以外の台数でもよい。
【符号の説明】
【００６５】
１  物品（第１物品）
２  物品（第２物品）
３  物品（第３物品）
１１  領域（第１物品保存領域）
１２  領域（第２物品保存領域）
１３  領域（第３物品保存領域）
２０  送風装置（第１送風装置）
２０ａ  送風部（第１送風部）
２０ｂ  送風部（第２送風部）
４０  送風装置（第２送風装置）
４０ａ  送風部（第３送風部）
４０ｂ  送風部（第４送風部）
８３  温度センサ（温度測定部）
９０、９１  熱交換部
１００、２００、３００  冷蔵倉庫
Ｐ１  気流（第１エアカーテン気流）
Ｐ２  気流（第２エアカーテン気流）
Ｐ３  気流（第３エアカーテン気流）
Ｐ４  気流（第４エアカーテン気流）
【図１】
2015230130.tif 000003
【図２】
2015230130.tif 000004
【図３】
2015230130.tif 000005
【図４】
2015230130.tif 000006
【図５】
2015230130.tif 000007
【図６】
2015230130.tif 000008